(57)【要約】【課題】蓋体に内蓋が取り付けられていない状態で、蓋体が自動閉鎖するのを抑制できる炊飯器を提供すること。【解決手段】炊飯器は、上面が開口した炊飯器本体と、炊飯器本体の上面開口部を開閉自在に覆う蓋体と、蓋体の下面に着脱自在に取り付けられる内蓋と、蓋体を開閉する蓋体開閉手段と、蓋体の開閉を検知する蓋体開閉検知手段と、内蓋の有無を検知する内蓋有無検知手段と、蓋体開閉検知手段および内蓋有無検知手段の検知結果に基づいて、蓋体が開閉するように蓋体開閉手段を動作させる制御装置と、を備えたものである。【選択図】図２
2018143332.tif 000002
【特許請求の範囲】
【請求項１】
上面が開口した炊飯器本体と、
前記炊飯器本体の上面開口部を開閉自在に覆う蓋体と、
前記蓋体の下面に着脱自在に取り付けられる内蓋と、
前記蓋体を開閉する蓋体開閉手段と、
前記蓋体の開閉を検知する蓋体開閉検知手段と、
前記内蓋の有無を検知する内蓋有無検知手段と、
前記蓋体開閉検知手段および前記内蓋有無検知手段の検知結果に基づいて、前記蓋体が開閉するように前記蓋体開閉手段を動作させる制御装置と、を備えた
炊飯器。
【請求項２】
前記蓋体の開閉指示が入力される開閉指示部を備え、
前記制御装置は、
前記開閉指示部により前記蓋体の開閉指示が入力された場合において、
前記蓋体開閉検知手段により、前記蓋体が開いていることを検知し、かつ、前記内蓋有無検知手段により、前記内蓋が有ることを検知したら、前記蓋体が閉じるように前記蓋体開閉手段を動作させ、
前記蓋体開閉検知手段により、前記蓋体が開いていることを検知し、かつ、前記内蓋有無検知手段により、前記内蓋が無いことを検知したら、前記蓋体開閉手段を動作させない
請求項１に記載の炊飯器。
【請求項３】
報知を行う報知手段を備え、
前記制御装置は、
前記開閉指示部により前記蓋体の開閉指示が入力された場合において、
前記蓋体開閉検知手段により、前記蓋体が開いていることを検知し、かつ、前記内蓋有無検知手段により、前記内蓋が無いことを検知したら、前記報知手段により前記内蓋が無いことを報知する
請求項２に記載の炊飯器。
【請求項４】
炊飯開始の指示が入力される開始指示部を備え、
前記制御装置は、
前記開始指示部により炊飯開始の指示が入力された場合において、
前記蓋体開閉検知手段により、前記蓋体が開いていることを検知し、かつ、前記内蓋有無検知手段により、前記内蓋が有ることを検知したら、前記蓋体が閉じるように前記蓋体開閉手段を動作させる
請求項１〜３のいずれか一項に記載の炊飯器。
【発明の詳細な説明】
【技術分野】
【０００１】
本発明は、蓋体を自動開閉する炊飯器に関するものである。
【背景技術】
【０００２】
従来、ユーザーの手間を増やすことなく必要な場合のみ蓋体を自動開閉する炊飯器がある（たとえば、特許文献１参照）。
【０００３】
特許文献１に記載の炊飯器は、上面が開口した炊飯器本体と、炊飯器本体内に着脱自在に収納される内釜と、炊飯器本体の上面開口部を開閉自在に覆う蓋体と、蓋体の開閉を検知する蓋体開閉検知手段と、炊飯器本体内に内釜の有無を検知する第一の内釜検知手段と、炊飯器本体外の近接に内釜の有無を検知する第二の内釜検知手段と、蓋体開閉検知手段と第一の内釜検知手段と第二の内釜検知手段の情報を基に蓋体の自動開閉が必要かどうかを判定する蓋体開閉判定部とを備え、内釜の収納状況から炊飯器本体の蓋体の開閉のどちらが必要なのかを判定し、さらに蓋体の開閉状況から本当に開閉が必要かどうかを判定するものである。
【先行技術文献】
【特許文献】
【０００４】
【特許文献１】特開２０１１−１８３０１６号公報
【発明の概要】
【発明が解決しようとする課題】
【０００５】
特許文献１に記載の炊飯器は、蓋体を自動開閉する際に、内蓋の有無を考慮していないため、場合によっては、蓋体に内蓋が取り付けられていない状態でも蓋体を自動閉鎖する必要があると判定し、蓋体を自動閉鎖してしまう。しかし、その状態で炊飯されると、おねばが炊飯器から外部に噴出してしまい、炊飯器およびそれが設置されているテ−ブルが汚れてしまったり、炊き上がりの不具合が生じたりしてしまう恐れがあった。
【０００６】
本発明は、以上のような課題を解決するためになされたもので、蓋体に内蓋が取り付けられていない状態で、蓋体が自動閉鎖するのを抑制できる炊飯器を提供することを目的としている。
【課題を解決するための手段】
【０００７】
本発明に係る炊飯器は、上面が開口した炊飯器本体と、前記炊飯器本体の上面開口部を開閉自在に覆う蓋体と、前記蓋体の下面に着脱自在に取り付けられる内蓋と、前記蓋体を開閉する蓋体開閉手段と、前記蓋体の開閉を検知する蓋体開閉検知手段と、前記内蓋の有無を検知する内蓋有無検知手段と、前記蓋体開閉検知手段および前記内蓋有無検知手段の検知結果に基づいて、前記蓋体が開閉するように前記蓋体開閉手段を動作させる制御装置と、を備えたものである。
【発明の効果】
【０００８】
本発明に係る炊飯器によれば、蓋体開閉検知手段および内蓋有無検知手段の検知結果に基づいて、蓋体が開閉するように蓋体開閉手段を動作させるものであり、蓋体を自動開閉する際に、内蓋の有無を考慮しているため、蓋体に内蓋が取り付けられていない状態で、蓋体が自動閉鎖するのを抑制できる。
【図面の簡単な説明】
【０００９】
【図１】本発明の実施の形態１に係る炊飯器の外観斜視図である。
【図２】本発明の実施の形態１に係る炊飯器の縦断面概略図である。
【図３】図２の一点鎖線で囲まれた部分を拡大した図である。
【図４】本発明の実施の形態１に係る炊飯器の蓋体が開いた状態における第一の縦断面概略図である。
【図５】本発明の実施の形態１に係る炊飯器の蓋体が開いた状態における第二の縦断面概略図である。
【図６】本発明の実施の形態１に係る炊飯器の機能ブロック図である。
【図７】本発明の実施の形態１に係る炊飯器の制御フローを示す図である。
【図８】本発明の実施の形態２に係る炊飯器の機能ブロック図である。
【図９】本発明の実施の形態２に係る炊飯器の制御フローを示す図である。
【図１０】本発明の実施の形態３に係る炊飯器の制御フローを示す図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る炊飯器１００の外観斜視図であり、図２は、本発明の実施の形態１に係る炊飯器１００の縦断面概略図であり、図３は、図２の一点鎖線で囲まれた部分を拡大した図である。
図１〜図３に示すように、本実施の形態１に係る炊飯器１００は、内部に米などの被加熱物を保持する有底筒状の内釜３０と、上面開口部に内釜３０が取り出し自在に収容され、内釜３０を誘導加熱する加熱手段１１を有する箱体形状の炊飯器本体１０と、炊飯器本体１０の背面側のヒンジ部１５に開閉自在に設けられた蓋体２０と、蓋体２０の内釜３０側となる面、つまり下面に着脱自在に取り付けられ、蓋体２０で炊飯器本体１０の上面を閉じた際に、内釜３０の上部開口を閉塞する内蓋２２と、炊飯器本体１０の前面側に着脱自在に設けられ、炊飯中に発生する内釜３０内の蒸気を冷却水で復水して回収する水タンク４０と、を備えている。
【００１２】
加熱手段１１は、それぞれ円環状に形成され、内釜３０が収容される開口の底部に配置されている。その底部の中央には、加熱手段１１により誘導加熱される内釜３０の底部外側の温度を検知する温度検知手段１３が設けられている。温度検知手段１３は、例えばサーミスタなど温度センサーである。
【００１３】
蓋体２０の上面の前面側には、炊飯開始ボタン２１ａなどの各種操作ボタンおよび液晶画面を備えた操作表示パネル２１が設けられている。
【００１４】
蓋体２０の内部には、各種操作ボタンからの入力に基づいて、炊飯器本体１０の内部の背面側に設けられた電源基板１６に制御信号を出力するとともに、液晶パネルに炊飯器１００の動作状態などを表示させる制御装置５０が設けられている。なお、制御装置５０は、その機能を実現する回路デバイスのようなハードウェアで構成することもできるし、ＣＰＵ、マイコンなどの演算装置とその動作を規定するソフトウェアで構成することもできる。
【００１５】
また、電源基板１６は、商用電源を高周波電力に変換して加熱手段１１に供給するための回路が実装されたものであり、インバーター回路を構成するスイッチング素子などの部品で構成されている。
【００１６】
炊飯器本体１０の背面側のヒンジ部１５には、駆動して蓋体２０を開閉させる蓋体開閉手段１２が設けられている。蓋体開閉手段１２は、例えばステッピングモーター、サーボモーター、などである。
【００１７】
蓋体２０の前面には、蓋体２０を手動で開ける際に押下される手動開閉ボタン２３が設けられており、手動開閉ボタン２３の後方には、蓋体側係止爪２４ａを有するラッチ部２４が設けられている。また、炊飯器本体１０の上面開口部の枠１４には、ラッチ部２４の蓋体側係止爪２４ａが引っ掛けられる本体側係止爪１４ａが設けられている。
【００１８】
そして、蓋体２０が閉じた状態で手動開閉ボタン２３が押下されると、手動開閉ボタン２３が後方に移動し、ラッチ部２４が押されて傾く。そうなることで、本体側係止爪１４ａに引っ掛けられていた蓋体側係止爪２４ａが外れ、ロックが解除されるため、蓋体２０を上方に持ち上げることで蓋体２０が開く。また、蓋体２０が開いた状態で蓋体２０を下方に下ろして閉じると、蓋体側係止爪２４ａが本体側係止爪１４ａに引っ掛けられ、ロックされる。
【００１９】
さらに、蓋体２０の前面には、蓋体２０を自動で開ける際に押下される自動開閉ボタン２５が設けられている。また、蓋体２０の内部には、蓋体２０の開閉を検知する蓋体開閉検知手段２６が設けられている。蓋体開閉検知手段２６は、例えば蓋体２０の傾きを検知するジャイロセンサーである。なお、本実施の形態１では、蓋体開閉検知手段２６が設けられている位置を蓋体２０の内部としたが、それに限定されず、例えば炊飯器本体１０の内部の前面側としてもよく、その場合はマイクロスイッチ、磁石とホール素子などとするとよい。また、蓋体２０の内部には、内蓋２２の有無を検知する内蓋有無検知手段２７が設けられている。内蓋有無検知手段２７は、例えばマイクロスイッチである。
【００２０】
図４は、本発明の実施の形態１に係る炊飯器１００の蓋体２０が開いた状態における第一の縦断面概略図であり、図５は、本発明の実施の形態１に係る炊飯器１００の蓋体２０が開いた状態における第二の縦断面概略図である。
図４に示すように、蓋体２０に内蓋２２が取り付けられていない状態では、内蓋有無検知手段２７のアクチュエータ部２７ａに外力は加わらない。一方、図５に示すように、蓋体２０に内蓋２２が取り付けられている状態では、内蓋有無検知手段２７のアクチュエータ部２７ａが内蓋２２に押され、アクチュエータ部２７ａに外力が加わる。このように、内蓋有無検知手段２７のアクチュエータ部２７ａに外力が加わっているか否かを判定することによって、蓋体２０に内蓋２２が取り付けられているかどうかが分かる。
【００２１】
なお、内蓋有無検知手段２７は、マイクロスイッチ以外のものでもよく、例えばリードスイッチ、赤外線センサーなどでもよい。
【００２２】
また、本実施の形態１に係る炊飯器１００は、自動開閉ボタン２５が押下されることで、蓋体開閉検知手段２６および内蓋有無検知手段２７の検知結果に基づいて、蓋体開閉手段４２が駆動し、蓋体２０を開閉する。つまり、ユーザーが自動開閉ボタン２５を押下することで、自動で蓋体２０を開閉する。
【００２３】
図６は、本発明の実施の形態１に係る炊飯器１００の機能ブロック図である。
本実施の形態１に係る制御装置５０は、メイン制御部５１と、駆動部５２と、を備えている。メイン制御部５１は、自動開閉ボタン２５が押下されたら、蓋体開閉検知手段２６および内蓋有無検知手段２７から入力された情報に基づいて蓋体２０の自動開閉の判定など各種判定を行ったり、炊飯開始ボタン２１ａが押下されたら、炊飯を開始したりするものである。駆動部５２は、メイン制御部５１からの指示により、加熱手段１１および蓋体開閉手段１２を駆動するものである。
【００２４】
図７は、本発明の実施の形態１に係る炊飯器１００の制御フローを示す図である。
以下、本実施の形態１に係る炊飯器１００の蓋体２０の開閉処理について、図７を用いて説明する。
【００２５】
まず、メイン制御部５１は、自動開閉ボタン２５が押下されたかどうかを判定する（ステップＳ１０１）。
【００２６】
ステップＳ１０１において、メイン制御部５１が、自動開閉ボタン２５が押下されたと判定した場合（ステップＳ１０１のＹＥＳ）、蓋体開閉検知手段２６から入力された情報に基づいて、蓋体２０が開いているかどうかを判定する（ステップＳ１０２）。
【００２７】
ステップＳ１０２において、メイン制御部５１は、蓋体２０が開いていると判定した場合（ステップＳ１０２のＹＥＳ）、内蓋有無検知手段２７から入力された情報に基づいて、蓋体２０に内蓋２２が取り付けられているかどうかを判定する（ステップＳ１０３）。一方、メイン制御部５１が、蓋体２０が閉じていると判定した場合（ステップＳ１０２のＮＯ）、駆動部５２は、蓋体開閉手段１２を駆動して、蓋体２０を開く（ステップＳ１０４）。
【００２８】
ステップＳ１０３において、メイン制御部５１が、蓋体２０に内蓋２２が取り付けられていると判定した場合（ステップＳ１０３のＹＥＳ）、駆動部５２は、蓋体開閉手段１２を駆動して、蓋体２０を閉じる（ステップＳ１０５）。一方、メイン制御部５１が、蓋体２０に内蓋２２が取り付けられていないと判定した場合（ステップＳ１０３のＮＯ）、駆動部５２は、蓋体開閉手段１２を駆動せず、蓋体２０を閉じないまま終了となる。
【００２９】
以上、本実施の形態１に係る炊飯器１００は、上面が開口した炊飯器本体１０と、炊飯器本体１０の上面開口部を開閉自在に覆う蓋体２０と、蓋体２０の下面に着脱自在に取り付けられる内蓋２２と、蓋体２０を開閉する蓋体開閉手段１２と、蓋体２０の開閉を検知する蓋体開閉検知手段２６と、内蓋２２の有無を検知する内蓋有無検知手段２７と、蓋体開閉検知手段２６および内蓋有無検知手段２７の検知結果に基づいて、蓋体２０が開閉するように蓋体開閉手段１２を動作させる制御装置５０と、を備えたものである。
【００３０】
また、蓋体２０の開閉指示が入力される自動開閉ボタン２５を備え、制御装置５０は、自動開閉ボタン２５が押下された場合において、蓋体開閉検知手段２６により、蓋体２０が開いていることを検知し、かつ、内蓋有無検知手段２７により、内蓋２２が有ることを検知したら、蓋体２０が閉じるように蓋体開閉手段１２を動作させ、蓋体開閉検知手段２６により、蓋体２０が開いていることを検知し、かつ、内蓋有無検知手段２７により、内蓋２２が無いことを検知したら、蓋体開閉手段１２を動作させないものである。
【００３１】
本実施の形態１に係る炊飯器１００によれば、蓋体開閉検知手段２６および内蓋有無検知手段２７の検知結果に基づいて、蓋体２０が開閉するように蓋体開閉手段１２を動作させるものであり、蓋体２０を自動開閉する際に、内蓋２２の有無を考慮しているため、蓋体２０に内蓋２２が取り付けられていない状態で、蓋体２０が自動閉鎖するのを抑制できる。そのため、蓋体２０に内蓋２２が取り付けられていない状態で炊飯されて、おねばが炊飯器１００から外部に噴出してしまい、炊飯器１００およびそれが設置されているテーブルが汚れてしまったり、炊き上がりの不具合が生じたりしてしまうのを抑制できる。
【００３２】
実施の形態２．
以下、本発明の実施の形態２について説明するが、実施の形態１と重複するものについては説明を省略し、実施の形態１と同じ部分または相当する部分には同じ符号を付す。
【００３３】
図８は、本発明の実施の形態２に係る炊飯器１００の機能ブロック図である。
本実施の形態２に係る炊飯器１００は、図８に示すように報知手段１８を備えている。報知手段１８は、例えば液晶による表示装置、または、スピーカーによる発音装置などである。
【００３４】
図９は、本発明の実施の形態２に係る炊飯器１００の制御フローを示す図である。
以下、本実施の形態２に係る炊飯器１００の蓋体２０の開閉処理について、図９を用いて説明する。
【００３５】
まず、メイン制御部５１は、自動開閉ボタン２５が押下されたかどうかを判定する（ステップＳ２０１）。
【００３６】
ステップＳ２０１において、メイン制御部５１が、自動開閉ボタン２５が押下されたと判定した場合（ステップＳ２０１のＹＥＳ）、蓋体開閉検知手段２６から入力された情報に基づいて、蓋体２０が開いているかどうかを判定する（ステップＳ２０２）。
【００３７】
ステップＳ２０２において、メイン制御部５１は、蓋体２０が開いていると判定した場合（ステップＳ２０２のＹＥＳ）、内蓋有無検知手段２７から入力された情報に基づいて、蓋体２０に内蓋２２が取り付けられているかどうかを判定する（ステップＳ２０３）。一方、メイン制御部５１が、蓋体２０が閉じていると判定した場合（ステップＳ２０２のＮＯ）、駆動部５２は、蓋体開閉手段１２を駆動して、蓋体２０を開く（ステップＳ２０４）。
【００３８】
ステップＳ２０３において、メイン制御部５１が、蓋体２０に内蓋２２が取り付けられていると判定した場合（ステップＳ２０３のＹＥＳ）、駆動部５２は、蓋体開閉手段１２を駆動して、蓋体２０を閉じる（ステップＳ２０５）。一方、メイン制御部５１が、蓋体２０に内蓋２２が取り付けられていないと判定した場合（ステップＳ２０３のＮＯ）、駆動部５２は、報知手段１８により蓋体２０に内蓋２２が取り付けられていないことを報知した後（ステップＳ２０６）、ステップＳ２０３に戻る。
【００３９】
以上、本実施の形態２に係る炊飯器１００は、報知を行う報知手段１８を備え、制御装置５０は、自動開閉ボタン２５が押下された場合において、蓋体開閉検知手段２６により、蓋体２０が開いていることを検知し、かつ、内蓋有無検知手段２７により、内蓋２２が無いことを検知したら、報知手段１８により内蓋２２が無いことを報知するものである。
【００４０】
本実施の形態２に係る炊飯器１００によれば、内蓋有無検知手段２７により、内蓋２２が無いことを検知したら、報知手段１８により内蓋２２が無いことを報知するため、ユーザーに蓋体２０への内蓋２２の取り付けを促し、蓋体２０への内蓋２２の取り付け忘れを抑制することができ、使い勝手を向上させることができる。
【００４１】
実施の形態３．
以下、本発明の実施の形態３について説明するが、実施の形態１および２と重複するものについては説明を省略し、実施の形態１および２と同じ部分または相当する部分には同じ符号を付す。
【００４２】
本実施の形態３に係る炊飯器１００の機能ブロック図は、図８に示すものと同じであるため、説明を省略する。
図１０は、本発明の実施の形態３に係る炊飯器１００の制御フローを示す図である。
以下、本実施の形態３に係る炊飯器１００の蓋体２０の開閉処理について、図１０を用いて説明する。
【００４３】
まず、メイン制御部５１は、炊飯開始ボタン２１ａが押下されたかどうかを判定する（ステップＳ３０１）。
【００４４】
ステップＳ３０１において、メイン制御部５１が、炊飯開始ボタン２１ａが押下されたと判定した場合（ステップＳ３０１のＹＥＳ）、蓋体開閉検知手段２６から入力された情報に基づいて、蓋体２０が開いているかどうかを判定する（ステップＳ３０２）。
【００４５】
ステップＳ３０２において、メイン制御部５１は、蓋体２０が開いていると判定した場合（ステップＳ３０２のＹＥＳ）、内蓋有無検知手段２７から入力された情報に基づいて、蓋体２０に内蓋２２が取り付けられているかどうかを判定する（ステップＳ３０３）。一方、メイン制御部５１は、蓋体２０が閉じていると判定した場合（ステップＳ３０２のＮＯ）、炊飯を開始する。
【００４６】
ステップＳ３０３において、メイン制御部５１が、蓋体２０に内蓋２２が取り付けられていると判定した場合（ステップＳ３０３のＹＥＳ）、駆動部５２は、蓋体開閉手段１２を駆動して、蓋体２０を閉じる（ステップＳ３０４）。その後、メイン制御部５１は、炊飯を開始する。一方、メイン制御部５１が、蓋体２０に内蓋２２が取り付けられていないと判定した場合（ステップＳ３０３のＮＯ）、駆動部５２は、報知手段１８により蓋体２０に内蓋２２が取り付けられていないことを報知した後（ステップＳ３０５）、ステップＳ３０３に戻る。
【００４７】
以上、本実施の形態３に係る炊飯器１００は、炊飯開始の指示が入力される炊飯開始ボタン２１ａを備え、制御装置５０は、炊飯開始ボタン２１ａが押下された場合において、蓋体開閉検知手段２６により、蓋体２０が開いていることを検知し、かつ、内蓋有無検知手段２７により、内蓋２２が有ることを検知したら、蓋体２０が閉じるように蓋体開閉手段１２を動作させるものである。
【００４８】
本実施の形態３に係る炊飯器１００によれば、炊飯開始時に、蓋体２０が開いていることを検知し、かつ、内蓋２２が有ることを検知したら、自動で蓋体２０を閉じるため、蓋体２０の閉じ忘れを抑制することができる。そのため、蓋体２０が開いている状態で炊飯開始を指示してしまった場合でも、自動的に蓋体２０が閉じて炊飯を開始させることができるので、ご飯が炊けていないなどの事態を回避することができる。
【００４９】
なお、自動開閉ボタン２５は、本発明の「開閉指示部」に相当し、炊飯開始ボタン２１ａは、本発明の「開始指示部」に相当する。
【符号の説明】
【００５０】
１０  炊飯器本体、１１  加熱手段、１２  蓋体開閉手段、１３  温度検知手段、１４  枠、１４ａ  本体側係止爪、１５  ヒンジ部、１６  電源基板、１８  報知手段、２０  蓋体、２１  操作表示パネル、２１ａ  炊飯開始ボタン、２２  内蓋、２３  手動開閉ボタン、２４  ラッチ部、２４ａ  蓋体側係止爪、２５  自動開閉ボタン、２６  蓋体開閉検知手段、２７  内蓋有無検知手段、２７ａ  アクチュエータ部、３０  内釜、４０  水タンク、４２  蓋体開閉手段、５０  制御装置、５１  メイン制御部、５２  駆動部、１００  炊飯器。
【図１】
2018143332.tif 000003
【図２】
2018143332.tif 000004
【図３】
2018143332.tif 000005
【図４】
2018143332.tif 000006
【図５】
2018143332.tif 000007
【図６】
2018143332.tif 000008
【図７】
2018143332.tif 000009
【図８】
2018143332.tif 000010
【図９】
2018143332.tif 000011
【図１０】
2018143332.tif 000012